(57)【要約】【課題】交換作業を簡易かつ確実に行うことができると同時に、交換側に配置される制御基板の保有機能を削減し、交換に係る制御基板を小型化することによって交換費用の軽減を図る。【解決手段】本体部１に支持された分離ユニット２を定位置となる方向に回動させることにより、当接移動部材９３が入出力制御基板４０又は主基板５０の一部、もしくは入出力制御基板コネクタ８１又は主基板コネクタ９１の一部と接触して、入出力制御基板コネクタ８１と前記主基板コネクタ９１とが接続し又は接続可能な適位置となり、分離ユニット２の装着によって入出力制御基板４０と主基板５０とが電気的に接続され、他の非交換部材及び交換部材の間の電気的接続が完了する。【選択図】図１０
2008167831.tif 000002
【特許請求の範囲】
【請求項１】
遊技場に設置される本体部と、係合部を介して前記本体部の正面側に回動自在に支持され、かつ前記本体部から着脱自在に形成された分離ユニットとから構成される遊技機であって、前記本体部には複数機種に共通して使用可能な非交換部材を配置し、前記分離ユニットには機種毎に対応する交換部材を配置した遊技機において、
前記非交換部材には、前記非交換部材と前記交換部材との間の電気的接続信号の入出力を制御するための入出力制御基板を含み、
前記交換部材には、抽選、遊技機の作動その他の遊技内容に関する制御を行うための主基板を含み、
前記入出力制御基板は、前記本体部への固定時に正面側となる外装面に入出力制御基板コネクタを有し、
前記主基板は、前記分離ユニットへの固定時に背面側となる外装面に主基板コネクタを有し、
前記入出力制御基板及び主基板は、前記分離ユニットを本体部の定位置に設置したときに、前記入出力制御基板の前記本体部への固定時に正面側となる外装面と前記主基板の前記分離ユニットへの固定時に背面側となる外装面の少なくとも一部が前後方向に重なって、前記入出力制御基板コネクタと前記主基板コネクタとが接合可能となる位置に固定され、
前記入出力制御基板コネクタ又は主基板コネクタのいずれか一方は、前記入出力制御基板又は主基板の外装面と平行な方向に移動可能に支持されており、前記主基板又は入出力制御基板、もしくは前記主基板コネクタ又は入出力制御基板コネクタには、前記分離ユニットの定位置への設置行程において前記入出力制御基板コネクタ又は主基板コネクタを移動可能とする当接移動部材が設けられ、
前記本体部に支持された分離ユニットを定位置となる方向に回動させることにより、前記当接移動部材が前記入出力制御基板又は主基板の一部、もしくは入出力制御基板コネクタ又は主基板コネクタの一部と接触して、前記入出力制御基板コネクタと前記主基板コネクタとが接続し又は接続可能な適位置となり、前記入出力制御基板と前記主基板とが電気的に接続されることによって、他の非交換部材及び交換部材の間の電気的接続が完了することを特徴とする遊技機。
【発明の詳細な説明】
【技術分野】
【０００１】
この発明は、パチンコ機などの、遊技装置と制御基板とを一体として遊技機の筐体に対して着脱自在かつ交換可能とした遊技機に関するものである。
【背景技術】
【０００２】
従来、遊技盤が本体から分離可能に形成されたパチンコ遊技機において、制御基板を複数機種に共通して使用可能な共通回路と機種固有の非共通回路に分ける技術が知られている（特許文献１参照）。
また、従来のパチンコ遊技機においては、固定側の本体に配置されている制御基板と交換側の盤面に搭載されている制御基板とをハーネスにより接続していたので、盤面を交換する際、ハーネスの取り付け取り外し作業が面倒であり、ハーネスの誤接続、接続忘れ、盤面取り付け時のハーネスの噛み込みなどの問題点があった。この問題を解決すべく、遊技盤を枠体に取り付けることによって電機部品の相互接続を行えるようにした遊技機が考案されている（特許文献２参照）。
【特許文献１】特許第２９１３２９７号公報
【特許文献２】特開２００６−１６７１８３号公報
【発明の開示】
【発明が解決しようとする課題】
【０００３】
ここで、遊技盤などの分離ユニットの装着と同時にコネクタ接続を行う場合には、コネクタの固定位置のズレなどにより、接合時にコネクタが破損するおそれがある。
また、上記したような分離型遊技機においては、交換側に配置される部品点数を極力少なくして、交換費用をより削減することが求められるところ、遊技機を制御するための制御基板については、必ずしも交換が必要でないものまで交換ユニットに搭載されており、改良の余地があった。
そこで、各請求項に記載された発明は、上記した問題点を解決すべくなされたものであり、交換側の制御基板と固定側の制御基板とを直接接続可能として、交換作業を簡易かつ確実に行うことができると同時に、交換側に配置される制御基板の保有機能を削減し、交換に係る制御基板を小型化することによって交換費用の軽減を図ることを目的とする。
【課題を解決するための手段】
【０００４】
各請求項に記載された発明は、上記した各目的を達成するためになされたものであり、本発明の特徴点を図面に示した発明の実施の形態を用いて、以下に説明する。
なお、括弧内の符号及び図面番号は、発明の実施の形態において用いた符号及び番号を示し、本発明の技術的範囲を限定するものではない。
（請求項１）
（特徴点）
請求項１記載の発明は、次の点を特徴とする。
すなわち、請求項１記載の発明は、遊技場に設置される本体部（本体枠１）と、係合部(6)を介して前記本体部(1)の正面側に回動自在に支持され、かつ前記本体部(1)から着脱自在に形成された分離ユニット（遊技盤ユニット２）とから構成される遊技機であって、前記本体部(1)には複数機種に共通して使用可能な非交換部材を配置し、前記分離ユニット(2)には機種毎に対応する交換部材を配置した遊技機に係る。
【０００５】
本発明に係る遊技機は、遊技場に設置される遊技機であって、例えばパチンコ遊技機に適している。
ここで、前記「非交換部材」とは、パチンコ機(P)を例にすると、電源(100)や弾発射装置、球払い出し装置などの装置類と、これらの装置類の作動を制御するための基板や、中継基板などが含まれる。また、前記「交換部材」とは、パチンコ機(P)を例にすると、盤面(20)に設けられた入賞口(23)などの可動体や表示部(24)などの装置類と、これらの装置類の作動を制御するための基板や、中継基板などが含まれる。
前記係合部(6)は、例えばヒンジなどであって、本体部(1)及び分離ユニット(2)にそれぞれ設けられた係合部及び被係合部を係合させることにより、分離ユニット(2)が本体部(1)に取り付けられるものである。また、分離ユニット(2)は、本体部(1)に取り付けた状態で回動させることにより、固定するための定位置に移動する。分離ユニット(2)の回動方向は、水平（左右）方向でも垂直（前後）方向でもよい。
【０００６】
なお、遊技機としては、上記構成の他に、本体部(1)の前面側に開閉自在に取り付けられた扉体(扉ユニット３)を有していてもよい。また、本発明においては、前記係合部(6)を本体部(1)に設け、分離ユニット(2)を本体部(1)に直接取り付ける場合と、係合部(6)を扉体などの本体部(1)に固定された部材に設け、分離ユニット(2)を本体部(1)に間接的に取り付ける場合の双方を含むものである。
そして、本発明においては、前記非交換部材には、前記非交換部材と前記交換部材との間の電気的接続信号の入出力を制御するための入出力制御基板（ＩＯ基板40）を含み、前記交換部材には、抽選、遊技機の作動その他の遊技内容に関する制御を行うための主基板(50)を含み、前記入出力制御基板(40)は、前記本体部(1)への固定時に正面側となる外装面に入出力制御基板コネクタ（雌コネクタ81）を有し、前記主基板(50)は、前記分離ユニット(2)への固定時に背面側となる外装面に主基板コネクタ（雄コネクタ91）を有している。また、前記入出力制御基板(40)及び主基板(50)は、前記分離ユニット(2)を本体部(1)の定位置に設置したときに、前記入出力制御基板(40)の前記本体部(1)への固定時に正面側となる外装面と前記主基板(50)の前記分離ユニット(2)への固定時に背面側となる外装面の少なくとも一部が前後方向に重なって、前記入出力制御基板コネクタ(81)と前記主基板コネクタ(91)とが接合可能となる位置に固定される。
【０００７】
前記入出力制御基板(40)は、本体部(1)と分離ユニット(2)との間でやりとりされる電気信号の入出力手段である。具体的には、パチンコ機(P)の場合には、主基板(50)から出力される信号（例えば入賞口通過信号）を各非交換部材（例えば払い出し制御基板(43)）に振り分けたり、非交換部材としての電源(100)から主基板(50)に電力を供給したりするためのものである。
前記主基板(50)は、交換部材のうち主として遊技装置の作動を制御するための制御基板である。具体的には、パチンコ機(P)の場合には、「当たり」「大当たり」の抽選処理を行なったり、遊技球が入賞口(23)を通過した信号を出力して払い出し制御基板(43)に入賞球を払い出させたりするためのものである。
【０００８】
なお、入出力制御基板(40)及び主基板(50)は、種々の電子部品を搭載したプリント基板(40B,50B)を基板ケース(40A,50A)に収納した構成となっている。そして、入出力制御基板(40)及び主基板(50)の「外装面」とは、基板ケース(40A,50A)の表面のことである。
ここで、「入出力制御基板(40)の外装面と前記主基板(50)の外装面の少なくとも一部が前後方向に重な」るとは、具体的には、本体部(1)の正面側に少なくとも一部が露出するように固定した（例えば本体部(1)に設けられた開口部から入出力制御基板(40)の少なくとも一部が見えるように固定。図６参照）入出力制御基板(40)の正面側の外装面の一部と、分離ユニット(2)の背面側に固定した主基板(50)の背面側の外装面の一部が、対向するような位置となっていることである（図４参照）。そして、この重なる部分に、入出力制御基板コネクタ(81)及び主基板コネクタ(91)が設けられている。
【０００９】
さらに、本発明では、前記入出力制御基板コネクタ(81)又は主基板コネクタ(91)のいずれか一方は、前記入出力制御基板(40)又は主基板(50)の外装面と平行な方向に移動可能に支持されており、前記主基板(50)又は入出力制御基板(40)、もしくは前記主基板コネクタ(91)又は入出力制御基板コネクタ(81)には、前記分離ユニット(2)の定位置への設置行程において前記入出力制御基板コネクタ(81)又は主基板コネクタ(91)を移動可能とする当接移動部材（誘導片92、押し上げ片93）が設けられている。そして、前記本体部(1)に支持された分離ユニット(2)を定位置となる方向に回動させることにより、前記当接移動部材(92,93)が前記入出力制御基板又(40)は主基板(50)の一部、もしくは入出力制御基板コネクタ(81)又は主基板コネクタ(91)の一部と接触して、前記入出力制御基板コネクタ(81)と前記主基板コネクタ(91)とが接続し又は接続可能な適位置となり、前記入出力制御基板(40)と前記主基板(50)とが電気的に接続されることによって、他の非交換部材及び交換部材の間の電気的接続が完了することを特徴とする。
【００１０】
ここで、「入出力制御基板コネクタ(81)又は主基板コネクタ(91)は・・・移動可能に支持され」とは、入出力制御基板コネクタ(81)又は主基板コネクタ(91)そのものが移動可能となっている場合だけでなく、コネクタを取り付けたベース部分（移動体82）が移動可能に形成されていて、コネクタがベース部分と一体で移動可能となっている場合も含む。また、「外装面と平行な方向に移動」とは、具体的には、左右方向、上下方向、斜め方向への移動であって、前後方向への移動（奥に引っ込む）や回転、回動、揺動は含まない趣旨である。
なお、移動可能に支持する手段としては、例えばコネクタを取り付けたベース部分（移動体82）が入出力制御基板(40)又は主基板(50)に固定又は形成された支持部材(83)のガイドレール（ガイド部83A）沿って上下に移動するようにしたものや、コネクタの裏面に設けた延設部(81B)がコネクタ取り付け部（摺動片84）に設けられた開口部(84A)と係合していて、コネクタ自体が左右に移動するようにしたものとすることができる。
【００１１】
前記当接移動部材(92,93)は、主基板(50)又は入出力制御基板(40)に設けられていてもよいし、主基板コネクタ(91)又は入出力制御基板コネクタ(81)に設けられていてもよい。いずれにしても、移動可能に形成されているコネクタを有している基板でない方の基板側に設けられ、分離ユニット(2)の回動に伴い、移動可能なコネクタ、又はそのコネクタのベース部分に当接することにより、当該コネクタを移動させるものである。すなわち、「入出力制御基板(40)又は主基板(50)の一部・・・の一部と接触」するとは、コネクタを固定又は取り付けてある移動体(82)に当接移動部材(92,93)が接触することも含むものである。
【００１２】
（作用）
本発明において、分離ユニット(2)を本体部(1)に取り付ける場合には、分離ユニット(2)を係合部(6)に係合させて本体部(1)に支持させ、定位置の方向に回動させる。このとき、当接移動部材(92,93)が直接又は間接的に入出力制御基板コネクタ(81)又は主基板コネクタ(91)を移動させ、入出力制御基板コネクタ(81)と主基板コネクタ(91)とが接合可能な位置となる。そして、分離ユニット(2)が本体部(1)の定位置に設置されたときには、入出力制御基板コネクタ(81)と主基板コネクタ(91)とが接合して、入出力制御基板(40)と前記主基板(50)とが電気的に接続される。これにより、入出力制御基板(40)以外の非交換部材と主基板(50)以外の交換部材とが電気的に接続される。定位置に設置した分離ユニット(2)は、所定の固定装置によって本体部(1)に固定する。
【００１３】
一方、分離ユニット(2)を本体部(1)から取り外す場合には、分離ユニット(2)と本体部(1)とのロックを解除し、分離ユニット(2)を回動させる。分離ユニット(2)の回動に伴い、入出力制御基板コネクタ(81)と主基板コネクタ(91)との接合は自動的に解除される（入出力制御基板コネクタ(81)と主基板コネクタ(91)が離れる）。これにより、入出力制御基板(40)と前記主基板(50)との電気的接続が断絶し、入出力制御基板(40)以外の非交換部材と主基板(50)以外の交換部材の電気的接続も断絶する。そして、分離ユニット(2)を係合部(6)から取り外し可能な位置まで回動させ、本体部(1)から取り外す。
このように、本発明は、交換部材と非交換部材の電気的接続を、入出力制御基板(40)と主基板(50)の基板同士の接続のみで行えるようにしてあるので、ハーネスを繋いだり外したりする作業が必要ない。このため、ハーネスの誤接続や接続忘れ、ハーネスの噛み込みなどのトラブルを防ぎ、交換作業の迅速化を図ることができる。
【００１４】
また、従来主基板に内蔵されていた入出力手段を、入出力制御基板(40)として本体部側に設置するようにしたので、分離ユニット(2)に搭載される主基板(50)を小型化することができ、交換部品の軽量化やコストダウンを図ることができる。
さらに、分離ユニット(2)を定位置に設置する過程において、当接移動部材(92,93)がコネクタを移動させつつ、入出力制御基板コネクタ(81)と主基板コネクタ(91)が接続するようにしてあるので、コネクタ部分の位置決めが容易にでき、分離ユニット(2)の装着時にコネクタを破損させることがない。
【発明の効果】
【００１５】
本発明は、以上のように構成されているので、交換作業を簡易かつ確実に行うことができると同時に、交換側に配置される制御基板の保有機能が削減され、交換に係る制御基板の小型化によって交換費用の軽減を図ることができる。
【発明を実施するための最良の形態】
【００１６】
本発明を実施するための最良の形態を、遊技機としてパチンコ機を例に、図面に基づき説明する。
（図面の説明）
図１乃至図１１は、本発明の実施の形態を示すものである。
図１乃至図３はパチンコ機Ｐの斜視図、図４はパチンコ機Ｐの裏面を示す概略図、図５は主基板及びＩＯ基板を示す斜視図、図６及び図７は扉ユニット３及び遊技盤ユニット２の取り付けを示す斜視図、図８はパチンコ機Ｐの概略平面図、図９乃至図１１は主基板接続部及びＩＯ基板接続部を示す図である。なお、図１２は従来の遊技機と本実施の形態のパチンコ機Ｐの基板接続を比較した概略図である。
【００１７】
（パチンコ機Ｐ）
パチンコ機Ｐは、図１及び図２に示すように、大きく分けて、方形枠状の本体枠１と、本体枠１に着脱自在に取り付けられる扉ユニット３及び遊技盤ユニット２とから構成されている。そして、本体枠１を遊技場のいわゆる「島」と呼ばれるスペース（図示せず）に設置して、パチンコ遊技機として取り扱われるものである。
（本体枠１）
本体枠１は、図１に示すように、外枠10と内枠11を有している。外枠10は、木質複合材よりなる長方形の枠材であり、パチンコ機Ｐを島に取り付けるためのものである。また、内枠11は、図３に示すように、外枠10の一方の側板に水平方向に回動自在に取り付けられた板状の扉体であり、閉じることにより外枠10の外枠開口10Aを塞ぐようになっているものである。
【００１８】
内枠11の上側には、図３に示すように、正面側から背面側に開口する内枠開口11Aが形成されている。この内枠開口11Aには、後述する扉ユニット３の取り付け枠30を介して遊技盤ユニット２が取り付けられるものである。また、内枠11の正面側下方には、図１、図２に示すように、上側が開放する球皿７と、球皿７の右下端部に位置し正面側に突出するハンドル８が設けられている。
ここで、前記球皿７は、入賞により払い出される遊技球を貯留可能な受け皿であり、奥壁部に形成された球払い出し口70から球投入口71に向けて皿底部が下り傾斜するよう形成されている。また、前記ハンドル８は、その操作により、球投入口71の内部に設けられた球発射装置（図示せず）を作動させるためのものである。
【００１９】
そして、内枠11の裏面側には、図３及び図４に示すように、背面上方から背面側方に連続する球通路９と、球皿７の裏側に位置する非交換制御部４が設けられている。前記球通路９は、島設備の遊技球循環システムから供給される遊技球をパチンコ機Ｐに取り込むためのものである。球通路９は、図３に示すように、上方に開口する球受け口9Aを有し、この球受け口9Aから受け入れ取り込んだ遊技球は、所定の入賞信号に基づき球カウンタ（図示せず）を通過し、払い出し球として所定の個数、球払い出し口70から球皿７に払い出される。また、前記非交換制御部４は、非交換部材に含まれ、パチンコ機Ｐの作動を制御する制御基板のうち、本体枠１に固定される制御基板である。
【００２０】
ここで、非交換制御部４としては、少なくとも、メイン枠基板41、サブ枠基板42、払い出し制御基板43及びＩＯ基板40が設けられている（図１２（Ｂ）参照）。前記メイン枠基板41は、球発射装置の作動制御などの制御を行うための制御基板であり、サブ枠基板42は、球皿７の周辺に設けられる電飾や前扉31に設けられる前扉表示部33（スピーカ33Aやランプ33B）の作動を制御するためのものである。また、払い出し制御基板43は、払い出し球の払い出し制御を行うためのものである。そして、前記ＩＯ基板40は、遊技盤ユニット２に配置される構成部品と本体枠１に配置される構成部品との間の、電気信号の出入力を制御するための制御基板である。
【００２１】
前記内枠11は、通常時は、閉じた状態で外枠10にロックされている。そして、面替えに際して遊技盤ユニット２を交換するときには、図３に示すように内枠11を開放して、内枠11の裏側から遊技盤ユニット２のロック解除を行い、本体枠１は遊技場の島設備に据え置かれるようになっている。
（ＩＯ基板40）
ＩＯ基板40は、図５に示すように、薄型箱状の基板ケース40Aに、ＩＣチップ等の電子部品を装着したプリント基板40Bを収納したものであり、図３に示すように、内枠11の背面側に固定されている。また、基板ケース40Aの表面（外装面）であって、内枠11への固定時に正面側となる面には、ＩＯ基板40の外部接続部であるＩＯ基板接続部80が設けられている。そして、ＩＯ基板40を内枠11に固定すると、図７に示すように、開口部30A（外枠開口10A、内枠開口11A）から正面に向かってＩＯ基板接続部80が露出するようになっている。
【００２２】
ＩＯ基板接続部80は、図９（Ａ）に示すように、後述する主基板接続部90の端子部分（雄コネクタ91）を嵌入可能な凹部81Aを有する雌コネクタ81を有し、雌コネクタ81には、図１１に示すように、プリント基板40Bに接続するハーネスＨが取り付けられている。そして、主基板接続部90と接続することにより、本体枠１の設置装置と遊技盤ユニット２の搭載装置とが電気的に接続されるようになっている。
また、本実施の形態においては、ＩＯ基板40は、図４に示すように、遊技盤ユニット２の本体枠１への装着時に、遊技盤ユニット２の裏面に設けられている主基板50と一部が重なり合うよう配置され、主基板50と基板同士で前後方向に接続可能に形成されているものである。
【００２３】
なお、本実施の形態においては、ＩＯ基板接続部80の雌コネクタ81が上下及び左右に移動可能に形成されているが、これについては後述する。
（遊技盤ユニット２）
遊技盤ユニット２は、パチンコ機Ｐの主たる遊技装置であって、図２に示すように、正面側に複数の釘（図示せず）が打ち込まれた盤面20を有する板部材である。盤面20の周囲には、ハンドル８を操作することによって玉発射装置から発射された遊技球を、遊技領域へと誘導するレール21が設けられており、前記盤面20の遊技領域略中央部には、液晶表示装置や回転リールを用いて、文字、図形、動画等種々の表示を行うための盤面表示部24が設けられている。
【００２４】
また、盤面表示部24の下方には、スタートチャッカーと呼ばれる始動入賞口22が設けられており、この始動入賞口22の下方には、アタッカーと呼ばれる入賞口23が設けられている。なお、パチンコ機Ｐは、始動入賞口22に球が入ると入賞となり、所定の条件をクリアすることによりいわゆる「大当たり」となる。入賞口23はこの大当たり状態の時に開放されるものである。
また、遊技盤ユニット２の裏面には、図３及び図４に示すように、遊技盤ユニット２に固定される制御基板から成る交換制御部５が設けられている。交換制御部５は、交換部材に含まれ、図１２（Ｂ）に示すように、少なくとも、主基板50、サブ基板51、及び盤面制御基板52とから構成されている。主基板50は、ＣＰＵを中心にＲＯＭ、ＲＡＭを備え、当選を決定する抽選、入賞口23の作動等、遊技に関するすべての制御を行うための基板であり、サブ基板51は、主基板50からの出力信号に基づいて、遊技に付随する演出の制御を行うための基板である。また、盤面制御基板52は、サブ基板51からの出力信号に基づいて、盤面20に設けられたＬＥＤの点灯点滅や入賞口23などの可動体の作動を制御するためのものである。
【００２５】
なお、前記主基板50及びサブ基板51は、機種ごとに異なるものであって、これらを変更することにより遊技内容及びそれに付随する演出が変更される。そして、遊技盤ユニット２を交換することにより、遊技を行わせるためのソフト部分（主基板50等）とハード部分（盤面20や盤面表示部24等）が同時に交換されることとなる。
さらに、図３及び図７に示すように、遊技盤ユニット２の正面左側の側面部には、係合部６としての遊技盤係合部61が設けられている。遊技盤係合部61は、後述する扉ユニット３の取り付け枠30に設けられた枠係合部60と係合可能な係合部であり、図８（Ａ）に二点鎖線で示すように、遊技盤係合部61を枠係合部60に正面側から嵌め込むことにより、遊技盤ユニット２を回動自在に支持することができるように形成されている。例えば、特に図示しないが、枠係合部60を、外筒と、外筒内で筒軸中心に回転可能な内筒の二重構造にし、遊技盤係合部61を枠係合部60の正面側から嵌入させると遊技盤係合部61が枠係合部60の内筒と係合し、内筒と一体で回転するようにしたものとすることができる。
【００２６】
遊技盤ユニット２は、図７に示すように、本体枠１に取り付けた扉ユニット３の取り付け枠30に取り付け、取り付け枠30の開口部30Aを閉じる方向に回動させ、開口部30Aを塞いだ状態で、クリップなどの固定装置（図示せず）により本体枠１の裏側から固定される。機種変更の際には、少なくとも遊技盤ユニット２を交換することにより遊技内容が変更され、本体枠１及び扉ユニット３はそのままで新たな遊技機として使用できるものである。
（主基板50）
主基板50は、図５に示すように、薄型箱状の基板ケース50Aに、ＩＣチップ等の電子部品を装着したプリント基板50Bを収納したものであり、図３に示すように、遊技盤ユニット２の背面に固定される。また、基板ケース50Aの表面（外装面）であって、遊技盤ユニット２への固定時に背面側となる面には、主基板50の外部接続部である主基板接続部90が設けられている。
【００２７】
主基板接続部90は、図９（Ｂ）に示すように、ＩＯ基板接続部80の端子部分（雌コネクタ81）に嵌入可能な雄コネクタ91を有し、雄コネクタ91には、図１１に示すように、プリント基板50Bに接続するハーネスＨが取り付けられている。そして、ＩＯ基板接続部80と接続することにより、本体枠１の設置装置と遊技盤ユニット２の搭載装置とが電気的に接続されるようになっている。なお、本体枠１の構成部品と遊技盤ユニット２の構成部品との間の電気的接続は、ＩＯ基板接続部80と主基板接続部90の接続によってのみ行われ、これ以外にハーネス等の接続を行う必要はない。
また、主基板50は、図４に示すように、遊技盤ユニット２の本体枠１への装着時に、内枠11の非交換制御部４の裏面に設けられているＩＯ基板40と一部が重なり合うよう配置され、ＩＯ基板40と基板同士で前後方向に接続可能に形成されているものである。そして、本実施の形態では、遊技盤ユニット２を扉ユニット３に支持させ、固定可能な定位置（開口部30Aを塞ぐ位置）に回動させる動作と同時に、ＩＯ基板接続部80と主基板接続部90とが接続される（図９参照）ように形成されているものであるが、これについては後述する。
【００２８】
（扉ユニット３）
扉ユニット３は、本体枠１に取り付けられ、内枠開口11Aを開閉自在に塞ぐ扉体であって、図２及び図６に示すように、取り付け枠30及び前扉31及びガラス枠32を有している。
前記取り付け枠30は、図６に示すように、中央部が開口する方形の枠体であって、内枠11の内枠開口11Aの内部に収納可能に形成されている。そしてこの取り付け枠30の開口部30Aには、遊技盤ユニット２が取り付けられ（図７参照）、遊技盤ユニット２により内枠開口11A及び取り付け枠30の開口部30Aが塞がれるようになっている。
取り付け枠30の正面左側の縦枠内側には、図３及び図６に示すように、係合部６としての枠係合部60が設けられている。枠係合部60は、遊技盤ユニット２に設けられた遊技盤係合部61と係合可能な係合部であり、遊技盤ユニット２を水平方向に回動自在に支持するためのものである。
【００２９】
また、前扉31は、図１に示すように、正面側にスピーカ33Aやランプ33Bなどからなる前扉表示部33が設けられた扉であり、取り付け枠30に軸支部を介して水平方向に回動自在に取り付けられている。前扉31の中央部には、遊技盤ユニット２の盤面20を正面側から視認可能とするための開口窓が形成されており、この開口窓を内側から塞ぐように、前記ガラス枠32が取り付けられている。
ガラス枠32は、枠体に嵌め込まれたガラスなどからなる透明パネルを有し、前扉31の裏面又は取り付け枠30に、軸支部を介して水平方向に回動自在に取り付けられている。
扉ユニット３は、取り付け枠30を内枠開口11Aの内部に収納固定することにより本体枠１に取り付けられる。また、扉ユニット３は、パチンコ機Ｐの面替えの際、本体枠１に残したままにしておけるものである。そして、パチンコ機Ｐの正面デザインを変更する場合には、扉ユニット３を本体枠１から取り外し、新たな扉ユニット３と交換することもできるものである。
【００３０】
（ＩＯ基板接続部80及び主基板接続部90）
次に、ＩＯ基板接続部80及び主基板接続部90の構成の詳細について、図８乃至図１１に基づいて説明する。ここで、図８は遊技盤ユニット２の回動によるＩＯ基板接続部80及び主基板接続部90の接続を示す平面図であり、図１１は、図８（Ａ）（Ｂ）におけるコネクタ部分の拡大断面図である。また図９はＩＯ基板接続部80及び主基板接続部90の拡大斜視図であり、図１０はコネクタ接続を示す側面図である。
ＩＯ基板接続部80は、図９（Ａ）に示すように、ＩＯ基板40の基板ケース40Aの正面に設けられた支持部材83に上下にスライド可能に取り付けられた移動体82を備えている。そして、前記移動体82には雌コネクタ81が取り付けられている。
【００３１】
移動体82は、図１０に示すように、側面視逆Ｌ字型の板部材であって、移動体82の取り付け時において基板ケース40Aの正面と摺接する摺動片84と、摺動片84の上端部から直角に折れ曲がり正面側に突出する張り出し片85を有している。また、摺動片84の略中央部には、開口部84Aが形成されており、開口部84Aの正面側に雌コネクタ81が取り付けられている。
雌コネクタ81の背面側には、図１０（Ａ）及び図１１に示すように、前記開口部84Aに嵌め込まれる延設部81Bを有し、この延設部81Bにより、摺動片84に対して上下方向への移動は制限され横方向（左右方向）には移動可能に取り付けられる。さらに、開口部84Aの側部には、延設部81Bを開口部84A内側方向に付勢するバネ86が設けられている。そして、雌コネクタ81は、図１１（Ａ）に示すように、常態において、ＩＯ基板40の外側方向（ＩＯ基板40を正面視したときＩＯ基板40の側面側となる方向）に位置しているとともに、バネ86の反対側から横方向の力が加えられると、ＩＯ基板40の内側方向（ＩＯ基板40の中心方向。付勢方向と逆方向）に移動するようになっている。
【００３２】
前記支持部材83は、図９（Ａ）乃至図１１に示すように、移動体82を上下動可能に支持する受け部材であって、縦長の溝部が相対向するよう設けられるガイド部83Aと、ガイド部83Aを下端部でつなぐ底部83Bを有している。そして、移動体82を支持部材83に取り付けると、図９（Ａ）に示すように、ガイド部83Aが移動体82の摺動片84の側端部を挟持して移動体82の横方向への移動を規制するとともに、底部83Bが摺動片84の底面を支持し、移動体82の上下方向の位置を保持する。また、移動体82の張り出し片85はガイド部83Aの上端よりも上側に位置し、この張り出し片85に下方向からの力が加えられると、摺動片84がガイド部83Aに支持されつつ基板ケース40Aの表面に沿って摺動し、移動体82は上側に移動するようになっている。
【００３３】
ちなみに、基板ケース40Aには、図１１に示すように、雌コネクタ81に取り付けられるハーネスが貫通する穴が形成されており、このハーネスは、内部のプリント基板40Bにつながっている。また、ハーネスＨは、雌コネクタ81が移動しても断線することなく変形可能な余裕を持って配線されている。
なお、移動体82を上下動させるための構成は、上記したものに限られない。例えば摺動片84に縦長の長孔を設け、基板ケース40Aには前記長孔に嵌入可能なピンを設け、ピンに支持された摺動片84が長孔の長さだけ移動するようにしたものであってもよい。
一方、主基板接続部90には、図９（Ｂ）に示すように、雄コネクタ91の背面側（主基板50を正面視したときに背面となる側）の上下端部に、コネクタ挿入方向に突出する誘導片92が設けられている。また、雄コネクタ91の上側には、上方に屈曲し突出側上端角部にＲ面取りが施された鈎状の押し上げ片93が設けられている。
【００３４】
前記誘導片92は、横方向の角部に面取りが施された突起であり、雄コネクタ91が雌コネクタ81の凹部81Aに嵌入するのに先んじて凹部81Aに入り、横方向に移動可能な雌コネクタ81を雄コネクタ91と接続可能な適位置に誘導するためのものである。
前記押し上げ片93は、遊技盤ユニット２の装着時に、鈎部が前記移動体82の張り出し片85下側と接触することにより、移動体82を上方に押し上げる働きをするものである。  さらに、ＩＯ基板接続部80と主基板接続部90は、図１０（Ｂ）及び図１１（Ａ）に示すように、押し上げ片93が移動体82を最高位置まで押し上げたときに、ちょうど誘導片92が雌コネクタ81の凹部81Aに入るような寸法に形成されている。また、図１０（Ａ）に示すように、ＩＯ基板接続部80と主基板接続部90の接合時に、押し上げ片93のＲ部分のいずれかの部分が張り出し片85の下縁部と接触可能な高さ位置となるよう固定位置を調整してある。
【００３５】
（コネクタ接続の詳細）
続いて、上記構成を有するＩＯ基板接続部80及び主基板接続部90の接続について説明する。前述したように、ＩＯ基板接続部80と主基板接続部90は、扉ユニット３に係合部６を介して支持された遊技盤ユニット２を定位置に設置する過程において、自動的に接続されるようになっている。
まず、接続前の状態においては、ＩＯ基板接続部80は、図１０（Ａ）に示すように、移動体82が支持部材83において最下位置にあり、図１１（Ａ）に示すように、雌コネクタ81は摺動片84の開口部84Aの外側方向（ＩＯ基板40の側面側）に位置している。
【００３６】
そして、図８（Ｂ）に示すように、内枠開口11A（開口部30A）を塞ぐ方向（閉方向）に回動させた遊技盤ユニット２が定位置となるすこし手前において、図１０（Ａ）に示すように、押し上げ片93のＲ部分が張り出し片85の下縁部と接触する。
さらに遊技盤ユニット２を閉方向に回動させると、押し上げ片93が張り出し片85を押し上げ、移動体82が支持部材83に沿って上昇移動して雌コネクタ81の位置も上昇する。そして、図１０（Ｂ）及び図１１（Ａ）に実線で示すように、主基板接続部90の誘導片92が雌コネクタ81の凹部81Aに入り込む。そしてさらに遊技盤ユニット２を閉方向に回動させると、誘導片92は凹部81Aの内部に進入しつつ、凹部81Aの内壁をバネ86の付勢方向に反して押圧する。これにより、雌コネクタ81は、図１１（Ａ）に二点鎖線で示すように、内側方向（ＩＯ基板40の中心側）に移動する。
【００３７】
その後、遊技盤ユニット２を定位置に位置させ（開口部30Aを完全に塞ぐ）たときには、図１０（Ｃ）及び図１１（Ｂ）に示すように、雌コネクタ81に雄コネクタ91が完全に嵌り込んで、ＩＯ基板40と主基板50が電気的に接続される。
また、ＩＯ基板接続部80及び主基板接続部90は、遊技盤ユニット２を取り外さないとその接続が解除されない。すなわち、遊技盤ユニット２を、開口部30Aを開放する方向（開方向）に回動させることにより、雌コネクタ81から雄コネクタ91が抜け出て、電気的接続が絶たれるものである。主基板接続部90と係合解除した後は、ＩＯ基板接続部80は元の状態（図１０（Ａ））に戻る。
【００３８】
このように、本実施の形態においては、ＩＯ基板接続部80の端子部分（雌コネクタ81）を、上下方向及び横方向に移動可能に形成したので、ＩＯ基板40と主基板50の固定位置に、多少、高さ方向又は幅方向の誤差があっても、あるいは係合部６（特に据え置かれる枠係合部60）の歪みなどにより遊技盤ユニット２の取り付け位置にズレが生じても、それを吸収することができ、確実にコネクタ接続を行うことができる。また、ＩＯ基板接続部80の雌コネクタ81は、主基板接続部90の誘導片92及び押し上げ片93によって、徐々に接続の適位置に導かれるので、遊技盤ユニット２の閉動作によって端子部分が衝突し破損するといったトラブルを防ぐことができるものである。
【００３９】
（ＩＯ基板接続部80及び主基板接続部90の他の例）
上記した例では、ＩＯ基板接続部80の雌コネクタ81を上下左右に移動可能に形成してあったが、雌コネクタ81を左右にのみ移動可能に形成することもできる。ＩＯ基板接続部80及び主基板接続部90の他の例を、図１３及び図１４に示す。ここで、図１３はＩＯ基板接続部80及び主基板接続部90の斜視図、図１４はコネクタ接続を示す平面図である。
ＩＯ基板接続部80は、図１４に示すように、ＩＯ基板40の基板ケース40Aの正面に、左右方向にスライド可能に取り付けられた移動体82を備えている。そして、前記移動体82には、主基板接続部90の雄コネクタ91を嵌入可能な凹部81Aを有する雌コネクタ81が取り付けられている。
【００４０】
ここで、移動体82は、図１３（Ａ）に示すように、裏面が基板ケース40Aの正面と平行に配置される板状の部材であり、正面右側の端部から前方に張り出す張り出し片85を有している。また、移動体82の裏面には、図１４に示すように、基板ケース40Aに形成された横長の長孔を貫通して背面側に突出する有頭軸状のバネ掛け部87が設けられている。そして、移動体82は、バネ掛け部87によって基板ケース40Aに支持されているとともに、バネ88により、常時ＩＯ基板40の中心方向（図１４における左側）に付勢されている。さらに、前記長孔内部をバネ掛け部87が移動可能な距離だけ、基板ケース40Aの表面に沿って左右方向に摺動可能となっている。
【００４１】
また、移動体82には、特に図示しないが、雌コネクタ81に接続されているハーネスが貫通する穴が形成されており、このハーネスは、基板ケース40Aに設けられた開口部（図示せず）を通ってプリント基板40Bにつながっている。
一方、主基板接続部90は、図１４に示すように、主基板50の基板ケース50Aの裏面に取り付けられ前記ＩＯ基板接続部80の雌コネクタ81に嵌入可能な雄コネクタ91を有している。そして、図１３（Ｂ）に示すように、雄コネクタ91の上下の側端部には、コネクタ挿入方向に突出する誘導片92が二個設けられている。また、雄コネクタ91の上方及び下方には、側面側（ＩＯ基板接続部80と対向したとき張り出し片85がある側）に屈曲し突出側側端角部にＲ面取りが施された鈎状の押圧片94が、雄コネクタ91を挟むように二個設けられている。
【００４２】
前記雄コネクタ91には、特に図示しないハーネスが接続されており、このハーネスは、基板ケース50Aに設けられた開口部（図示せず）を通ってプリント基板50Bにつながっている。
前記押圧片94は、遊技盤ユニット２を回動させて定位置となる少し前に、鈎部が前記移動体82の張り出し片85の内側（図１４における左側）と接触することにより、移動体82を外側（図１４における右側）に押しやる働きをするものである。
ＩＯ基板接続部80及び主基板接続部90を以上のように形成した場合でも、遊技盤ユニット２の装着時に、押圧片94と張り出し片85の当接によって雌コネクタ81を雄コネクタ91と接合可能な適位置に移動し（図１４の二点鎖線参照）、かつ雄コネクタ91を雌コネクタ81に挿入させる際に誘導片92が雄コネクタ91を誘導し、コネクタ接続をスムーズに行わせることができるものである。
【００４３】
なお、上記とは逆に、ＩＯ基板接続部80に当接移動部材を設け、主基板接続部90に可動部材を設けて、雄コネクタ91を左右に移動可能に形成してもよい。
（遊技盤ユニット９の着脱）
続いて、以上のよう形成されたパチンコ機Ｐにおける遊技盤ユニット２の着脱手順を説明する。
ここで、遊技盤ユニット２が本体枠１の定位置に収納固定されている状態においては、図４及び図８（Ｂ）に示すように、主基板50はＩＯ基板40と一部が重なる位置にある。そして、ＩＯ基板接続部80と、主基板接続部90は結合状態となっている。この状態において、遊技盤ユニット２は、所定の固定装置（図示せず）によって本体枠１にロックされている。
【００４４】
本体枠１に固定されている遊技盤ユニット２を取り外す場合には、まず、内枠11に扉ユニット３を装着したままの状態で内枠11を開き（図３参照）、遊技盤ユニット２の裏面を露出させる。次に、遊技盤ユニット２と本体枠１とを固定している固定装置の固定を解除し（例えばクリップを外し）、前扉31及びガラス枠32を開放して遊技盤ユニット２を開方向に回動させる。このとき同時に、ＩＯ基板接続部80と主基板接続部90の結合が解除される。その後、枠係合部60と遊技盤係合部61の係合を外して、遊技盤ユニット２を本体枠１から取り外す。
このように、固定装置を解除して遊技盤ユニット２を回動させるだけで、面倒なハーネスの取り外し作業を一切行うことなく、遊技盤ユニット２を本体枠１から取り外すことができるものである。
【００４５】
一方、遊技盤ユニット２を本体枠１に収納固定する場合には、まず、遊技盤ユニット２の遊技盤係合部61を本体枠１に固定した扉ユニット３の取り付け枠30の枠係合部60に係合させ、遊技盤ユニット２を回動自在に支持させる。そして、遊技盤ユニット２を定位置まで回動させれば、遊技盤ユニット２の背面側にある交換制御部５は、取り付け枠30の開口部30A及び内枠開口11Aから本体枠１の背面側に突出し、主基板50はＩＯ基板40の手前側に位置し、ＩＯ基板接続部80と主基板接続部90が接合する。その後、所定の固定装置により遊技盤ユニット２を本体枠１にロックする。
このように、遊技盤ユニット２を本体枠１に収納固定する場合にも、面倒なハーネスの取り付け作業を一切行う必要がない。
【００４６】
（本体枠１と遊技盤ユニット２の基板接続）
以上のように形成されているパチンコ機Ｐの、本体枠１と遊技盤ユニット２の各制御基板の接続態様ついて、従来の遊技機の場合と対比して説明する。
図１２（Ａ）は、従来のパチンコ遊技機における本体枠の非交換制御部4'と遊技盤ユニットの構成部品及び交換制御部5'の基板接続を示す概略のブロック図である。ここで、図１２（Ａ）（Ｂ）中「ドア・受け皿」とあるのは、前扉31の開閉を検知するための開閉センサ及び球皿７に設けられたオーバーフローセンサ（いずれも図示せず）のことである。また、図中、太矢印は電力供給、細矢印は信号出力を表すものである。
【００４７】
従来のパチンコ機では、図１２（Ａ）に示すように、本体枠側には、電源200と、メイン枠基板141及びサブ枠基板142及び払い出し制御基板143が設けられており、遊技盤ユニット側には、主基板150及びサブ基板151及び盤面制御基板153が設けられていた。そして、本体枠と遊技盤ユニットとの電気的接続は、ハーネスの接続により行われていた。すなわち、盤面制御基板152に電源を供給するためのハーネス、主基板150に電源を供給するためのハーネス、ドア・受け皿のセンサから主基板150に信号を送るためのハーネス、主基板150からメイン枠基板141に信号を送るためのハーネス、サブ基板142とサブ枠基板151の間の信号をやりとりするハーネスは、それぞれ途中に設けられたコネクタの結合及び結合解除によって、電気信号の接続・切断がされるようになっていた。
【００４８】
従って、従来のパチンコ機では、盤面交換の際、遊技盤ユニットを取り外す前に上記した少なくとも５カ所のハーネスの取り外し作業を行い、遊技盤ユニットを装着後にもハーネスの取り付け作業を行わなければならないので、交換作業に時間を要し、作業者に負担を強いていた。また、ハーネスの誤接続や接続忘れが発生したり、遊技盤ユニットの本体枠への押入時に本体枠と遊技盤ユニットとの間にハーネスを噛み込んでしまうおそれがあった。
一方、本実施の形態に係るパチンコ機Ｐでは、図１２（Ｂ）に示すように、ＩＯ基板40を本体枠側に配置してあり、ＩＯ基板40は、電源100やメイン枠基板41等と接続されている。また、遊技盤ユニット２のサブ基板51及び盤面制御基板52は、主基板50を介して電源が供給されるようになっている。そして、ＩＯ基板40と主基板50とを、ＩＯ基板接続部80と主基板接続部90によって、直接接続するように形成してある。
【００４９】
従って、本実施の形態によれば、遊技盤ユニット２の着脱の際に、何カ所もコネクタの結合及び結合解除をする必要が無く、交換作業を迅速に行うことができる。また遊技盤ユニット２の背面側に接続用のハーネスが露出しないので、本体枠１への収納時にハーネスを噛み込んでしまうこともない。
なお、本実施の形態においては、ＩＯ基板接続部80を可動とし、主基板接続部90との接続がスムーズに行われるように形成してあったが、逆に主基板接続部90を可動としてもよい。すなわち、主基板接続部90を、雌コネクタ及び移動体及び支持部材を有する構造にし、ＩＯ基板接続部80を、雄コネクタ及び誘導片及び押し上げ片を有する構造としてもよい。
【００５０】
また、上記実施の形態では、係合部６を縦方向に設け、遊技盤ユニット２を水平方向に回動させて定位置に固定するように形成してあったが、係合部６を横方向に設け、遊技盤ユニット２を前後方向に回動させて定位置に固定するようにしてもよい。例えば、取り付け枠30の開口部30Aの下縁部に枠係合部60を設け、遊技盤ユニット２の下端部に遊技盤係合部61を設け、遊技盤ユニット２を取り付ける際には、枠係合部60の斜め上方から遊技盤係合部61を係合させ、係合部６に支持された遊技盤ユニット２の上側を奥方向に回動させて、開口部30Aを塞ぐようにすることかできる。
このように形成した場合においても、ＩＯ基板40及び主基板50の配置、ＩＯ基板接続部80及び主基板接続部90の構成を上記実施の形態と同様に形成し、遊技盤ユニット２の回動に伴い両者が接続されるようにすることができる。なお、この場合には、ＩＯ基板接続部80及び主基板接続部90の端子部分（雌コネクタ81及び雄コネクタ91）が横長になるようにしてもよい。
【００５１】
さらに、ＩＯ基板40及び主基板50の配置は、図４に示したものに限られず、遊技盤ユニット２の装着時にＩＯ基板40と主基板50の少なくとも一部が前後に重なるような配置となっていればよい。
以上のように、本発明によれば、分離ユニットの交換作業を簡易かつ確実に行うことができる。また、ＩＯ基板40と主基板50を対面させるように配置してコネクタの接続を行わせるとともに、一方のコネクタを移動可能に形成してあるので、接続時にコネクタ部分に無理な力がかからず、コネクタ部分の破損を防止することができる。
さらに、非交換制御基板であるＩＯ基板40を本体部に配置するとともに、交換制御基板である主基板50と非交換部材との電気的接続を、ＩＯ基板40を介して行うように形成してあるので、従来は分離ユニット側、特に主基板に配置されていた入出力手段が不要になり、分離ユニット側に配置される主基板50を小型化して交換費用を少しでも削減することができる。
【図面の簡単な説明】
【００５２】
【図１】本発明の実施の形態であって、パチンコ機の外観斜視図である。
【図２】本発明の実施の形態であって、前扉を開いたパチンコ機の外観斜視図である。
【図３】本発明の実施の形態であって、パチンコ機の分解斜視図である。
【図４】本発明の実施の形態であって、パチンコ機の裏面図である。
【図５】本発明の実施の形態であって、ＩＯ基板及び主基板の斜視図である。
【図６】本発明の実施の形態であって、パチンコ機の分解斜視図である。
【図７】本発明の実施の形態であって、パチンコ機の分解斜視図である。
【図８】本発明の実施の形態であって、パチンコ機の概略平面図である。
【図９】本発明の実施の形態であって、ＩＯ基板接続部及び主基板接続部の斜視図である。
【図１０】本発明の実施の形態であって、コネクタ接続を示す側面図である。
【図１１】本発明の実施の形態であって、コネクタ接続を示す断面図である。
【図１２】本発明の実施の形態であって、従来と本実施の形態の基板接続の概略を示すブロック図である。
【図１３】本発明の実施の形態であって、ＩＯ基板接続部及び主基板接続部の他の例を示す斜視図である。
【図１４】図１３のＩＯ基板接続部及び主基板接続部のコネクタ接続を示す平面図である。
【符号の説明】
【００５３】
Ｐ  パチンコ機（遊技機）
１  本体枠（本体部）                ２  遊技盤ユニット（分離ユニット）
３  扉ユニット                      ４  非交換制御部（非交換部材）
５  交換制御部（交換部材）          ６  係合部
７  球皿                            ８  ハンドル
９  球通路
10  外枠                            11  内枠
20  盤面                            21  レール
22  始動入賞口                      23  入賞口
24  盤面表示部
30  取り付け枠                      31  前扉
32  ガラス枠                        33  前扉表示部
33A  スピーカ                       33B  ランプ
40  ＩＯ基板（入出力制御基板）     40A  基板ケース
40B  プリント基板                    41  メイン枠基板
42  サブ枠基板                      43  払い出し制御基板
50  主基板                         50A  基板ケース
50B  プリント基板                    51  サブ基板
52  盤面制御基板
60  枠係合部                        61  遊技盤係合部
70  球払い出し口                    71  球投入口
80  ＩＯ基板接続部                  81  雌コネクタ（入出力制御基板コネクタ）
81A  凹部                           81B  延設部
82  移動体                          83  支持部材
83A  ガイド部                       83B  底部
84  摺動片                         84A  開口部
85  張り出し片                      86  バネ
87  バネ掛け部                      88  バネ
90  主基板接続部                    91  雄コネクタ（主基板コネクタ）
92  誘導片（当接移動部材）          93  押し上げ片（当接移動部材）
94  押圧片（当接移動部材）
100,200  電源
141  メイン枠基板                   142  サブ枠基板
143  払い出し制御基板
150  主基板                         151  サブ基板
152  盤面制御基板                    Ｈ  ハーネス
【図１】
2008167831.tif 000003
【図２】
2008167831.tif 000004
【図３】
2008167831.tif 000005
【図４】
2008167831.tif 000006
【図５】
2008167831.tif 000007
【図６】
2008167831.tif 000008
【図７】
2008167831.tif 000009
【図８】
2008167831.tif 000010
【図９】
2008167831.tif 000011
【図１０】
2008167831.tif 000012
【図１１】
2008167831.tif 000013
【図１２】
2008167831.tif 000014
【図１３】
2008167831.tif 000015
【図１４】
2008167831.tif 000016